(57)【要約】      （修正有）【課題】ベッド間隔を拡げることなく、低コストで、かつ簡単にどこにでも設置でき、患者の様子を確認しやすい、感染防止に有効な間仕切り具を提供する。【解決手段】天井から吊り下げる形態の間仕切り具１であって、１または複数の層から成る不織布１０と、その不織布１０の一端側に取り付けられる重り３０と、上記一端側と反対側の他端側において不織布１０を固定する固定具４０，４０と、その固定具４０，４０に取り付け、その固定具４０，４０を介して天井から不織布１０を吊り下げるための吊り下げ部材５０，５０とを備える間仕切り具１である。【選択図】図１
0003155672.tif 000002
【実用新案登録請求の範囲】
【請求項１】
天井から吊り下げる形態の間仕切り具であって、
１または複数の層から成る不織布と、
その不織布の一端側に取り付けられる重りと、
上記一端側と反対側の他端側において上記不織布を固定する固定具と、
その固定具に取り付け、その固定具を介して天井から不織布を吊り下げるための吊り下げ部材と、
を備えることを特徴とする間仕切り具。
【請求項２】
前記不織布の一端側は、前記重りを挿入するための袋状に形成されていることを特徴とする請求項１に記載の間仕切り具。
【請求項３】
前記重りを、当該一端側の長さ方向に沿って取り付けられる第一長尺体とし、
上記他端側に、当該他端側の長さ方向に沿って取り付けられる第二長尺体を備えることを特徴とする請求項１または請求項２に記載の間仕切り具。
【請求項４】
前記第一長尺体および前記第二長尺体の少なくともいずれか一方は、その長さ方向に穴を有するパイプ状の形態を有することを特徴とする請求項３に記載の間仕切り具。
【請求項５】
前記固定具をクリップ形状の留め具とし、
前記不織布の他端側は、前記第二長尺体を巻いて、その他端側の上から前記第二長尺体ごと前記留め具によって挟まれていることを特徴とする請求項３または請求項４に記載の間仕切り具。
【請求項６】
前記第二長尺体は、前記固定具で固定する位置であって、前記不織布を吊るした時に前記不織布のバランスを保つことができるような位置に、前記不織布の外から視覚あるいは触覚にて確認できるマークを有することを特徴とする請求項３から請求項５のいずれか１項に記載の間仕切り具。
【請求項７】
前記不織布を構成する前記１または複数の層の少なくとも一層に、ウィルスを保持するための界面活性剤が付いていることを特徴とする請求項１から請求項６のいずれか１項に記載の間仕切り具。
【考案の詳細な説明】
【技術分野】
【０００１】
本考案は、間仕切りを行うための間仕切り具に関し、特に、隣接するベッド間の間仕切りに用いるのに好適な間仕切り具に関するものである。
【背景技術】
【０００２】
最近、病院や人工透析クリニック等において、院内感染、とりわけ、患者から医師のみならず、患者間におけるインフルエンザウィルス等のウィルス感染が問題視されている。病室あるいは人工透析を行う部屋を全て個室にすれば、かかるウィルス感染の確率は低くなるが、現実的には、複数の患者が出入りする大部屋を使用して、治療、透析等の医療行為が行われる割合の方が多い。大部屋を完全な個室ではなくとも、準個室に仕切るために、隣接するベッドの間を床設置型のサイドパネルを用いて仕切り、患者の頭部側に頭部側専用のパネルを設置し、略Ｔ字状の間仕切りを形成するとともに、足側には、サイドパネルの前端面にカーテンが触れるか近接させてカーテンレールを天井側に配置した個室が知られている（特許文献１を参照）。
【先行技術文献】
【特許文献】
【０００３】
【特許文献１】特開２００５−２４０５５５（請求項１）
【考案の概要】
【考案が解決しようとする課題】
【０００４】
しかし、病院や人工透析クリニック等の大部屋には、次のような問題がある。患者が横たわるベッド間の間隔を現状の１ｍ程度から、咳やくしゃみの飛散有効距離以上（例えば２ｍ）にすることにより、大部屋では患者間の感染の確率を低減することが可能と考えられている。しかし、その対応をとると、一部屋当たりのベッド数を半減させることになり、ベッドが足りない現状からは採用困難である。また、例えば、病院の大部屋に常設されているカーテンレールを使用して各ベッドをカーテンで仕切る場合、ベッド上の患者の咳を遮るのにある程度有効である反面、各ベッドが病室を巡回する医師や看護師の視界から見えなくなる。このため、万が一、患者に異常が起きた際には、対処が遅れるという問題がある。さらに、病院ではカーテンを用いてベッド間を仕切ることが可能だとしても、人工透析クリニック等ではそのような設備は常設されていないことが多いので、かかる設備を常設するのに多くの費用がかかるという問題が生じる。また、カーテンを使用しないときには、カーテンを取り外すのに労力を要し、取り外さないでおくと邪魔になるという問題もある。加えて、カーテンで仕切った状態では、医師や看護師が患者の治療等を行う際に邪魔になるという問題もある。
【０００５】
本考案は、上記のような問題に鑑みてなされたものであって、ベッド間隔を拡げることなく、低コストで、かつ簡単にどこにでも設置でき、患者の様子を確認しやすい、咳やくしゃみによる感染防止に有効な間仕切り具を提供することを目的とする。
【課題を解決するための手段】
【０００６】
上記目的を解決するための本考案の一形態は、天井から吊り下げる形態の間仕切り具であって、１または複数の層から成る不織布と、その不織布の一端側に取り付けられる重りと、上記一端側と反対側の他端側において不織布を固定する固定具と、その固定具に取り付け、その固定具を介して天井から不織布を吊り下げるための吊り下げ部材とを備える間仕切り具である。
【０００７】
また、本考案の別の形態は、不織布の一端側を、重りを挿入するための袋状に形成した間仕切り具である。
【０００８】
また、本考案の別の形態は、重りを、当該一端側の長さ方向に沿って取り付けられる第一長尺体とし、他端側に、当該他端側の長さ方向に沿って取り付けられる第二長尺体を備える間仕切り具である。
【０００９】
また、本考案の別の形態は、第一長尺体および第二長尺体の少なくともいずれか一方を、その長さ方向に穴を有するパイプ状の形態とする間仕切り具である。
【００１０】
また、本考案の別の形態は、固定具をクリップ形状の留め具とし、不織布の他端側が、第二長尺体を巻いて、その他端側の上から第二長尺体ごと留め具によって挟まれた間仕切り具である。
【００１１】
また、本考案の別の形態は、第二長尺体の固定具で固定する位置であって、不織布を吊るした時に不織布のバランスを保つことができるような位置に、不織布の外から視覚あるいは触覚にて確認できるマークを有する間仕切り具である。
【００１２】
また、本考案の別の形態は、不織布を構成する１または複数の層の少なくとも一層に、ウィルスを保持するための界面活性剤が付いている間仕切り具である。
【考案の効果】
【００１３】
本考案によれば、ベッド間隔を拡げることなく、低コストで、かつ簡単にどこにでも設置でき、患者の様子が確認しやすく、有効にウィルス等の咳やくしゃみによる感染を有効に防止することができる。
【図面の簡単な説明】
【００１４】
【図１】図１は、本考案の実施の形態に係る間仕切り具の正面図である。
【図２】図２は、図１に示す間仕切り具の左側面図である。
【図３】図３は、図１に示す間仕切り具の組み立て方法を説明するための図である。
【図４】図４は、不織布の構成図である。
【図５】図５は、本考案の実施の形態に係る間仕切り具をベッドの側方に設置した使用例を示す図である。
【考案を実施するための形態】
【００１５】
次に、本考案に係る間仕切り具の好適な実施の形態について、図面を参照しながら説明する。
【００１６】
図１は、本考案の実施の形態に係る間仕切り具の正面図である。図２は、図１に示す間仕切り具の左側面図である。
【００１７】
図１に示すように、本考案の実施の形態に係る間仕切り具１は、正方形若しくは長方形の不織布１０と、不織布１０の一端側である下端側に固定される第一長尺体の一例であるアクリル製のパイプ３０と、不織布１０の上述の一端側と反対側にある他端側（この実施の形態では、上端側）に固定される第二長尺体の一例であるアクリル製のパイプ２０と、その上端側において不織布１０の上からパイプ２０を挟持する固定具の一例である２個のクリップ（クリップ形状の留め具）４０，４０と、クリップ４０，４０にそれぞれ固定され、クリップ４０，４０を介して不織布１０を天井から吊り下げるための吊り下げ部材の一例である糸状体５０，５０と、を備える。本願において、「固定」とは、それを容易に解除できるか否かを問わず、一体化する状態を意味する。
【００１８】
不織布１０は、例えば、幅１ｍ、縦１〜１．５ｍ、厚さ２〜１０ｍｍの、好適には白色あるいは薄青色の布状体である。不織布１０の上部には、その上端を正面側に折り返した折返部１１が形成されている。ただし、折返部１１は、不織布１０の裏側に折り返して形成されたものであっても良い。パイプ２０は、例えば、直径７〜１５ｍｍ、好適には直径９〜１１ｍｍで、長さが約１ｍの樹脂製の中空長尺体である。パイプ２０は、不織布１０の正面側と折返部１１の裏側に挟まれた状態で、折返部１１の上からクリップ４０，４０で挟持される。パイプ２０は、クリップ４０，４０により不織布１０を固定しやすくする機能を持つ。この実施の形態では、折返部１１は、不織布１０に縫い付けや接着等によって固着されていない。ただし、折返部１１を不織布１０に固着するようにしても良い。図２に示すように、クリップ４０，４０のそれぞれの上部には、例えば、穴を有する２つの把持部がある。糸状体５０，５０は、それらの穴を通して輪上に結んで、その結び目５１から一本にのび、天井に固定されている。
【００１９】
不織布１０の下部には、その下端を正面側に折り返して形成された袋状体１３が設けられている。ただし、袋状体１３は、不織布１０の下端を裏側に折り返して形成されたものであっても良い。袋状体１３には、その一方の開口部から、パイプ３０が挿入されている。パイプ３０は、例えば、直径３〜１０ｍｍ、好適には直径４〜６ｍｍであって、パイプ２０に比べると細く、長さが約１ｍの樹脂製の中空長尺体である。パイプ３０は、不織布１０の正方形あるいは長方形の形状を保持する機能と共に、エアーコンディショナー等から供給される風や窓からの風で容易に下端が揺れないようにするための重りとしての機能も持つ。第二長尺体および第一長尺体として、それぞれ、その内部に穴２１および穴３１を有する中空状のパイプ２０および中空状のパイプ３０を用いているのは、少しでも重量を軽くし、間仕切り具１の取り付けあるいは取り外しを容易にする必要からである。ここで、パイプ３０に代えて、パチンコ玉やビー玉のような球体を用い、かかる球体を複数、袋状体１３の内部に入れるようにしても良い。その場合、球体を入れた袋状体１３の開口部を閉じるのが好ましい。
【００２０】
クリップ４０，４０および糸状体５０，５０は、好適には、透明な材料から構成される。間仕切り具１を病院や人工透析クリニック内の部屋に吊り下げた際に、その部屋の内外において、医師あるいは看護士から部屋内の患者を確認するのをできるだけ妨げないようにするためである。さらに、パイプ２０，３０も、好適には、透明な材料から構成される。不織布１０が有色であったとしても、その厚さが薄いため、パイプ２０，３０を透明な材料から構成した方が、患者の確認の際に視界を遮らないからである。クリップ４０，４０およびパイプ２０，３０は、好適には、アクリル樹脂等の高い透明性を有する樹脂から構成されるのが好ましい。糸状体５０，５０は、釣り糸のような強度の高い合成繊維から構成されるのが好ましく、好適には、ポリアミド繊維、ポリプロピレン繊維、ポリエチレン繊維、あるいはそれらを複合した繊維等から構成される。なお、糸状体５０，５０に代えて、透明な棒状体（例えば、パイプ２０あるいはパイプ３０と同様のもの）を用いて、不織布１０を吊るしても良い。
【００２１】
図３は、図１に示す間仕切り具の組み立て方法を説明するための図である。
【００２２】
不織布１０の下端側に形成されている袋状体１３は、下端を正面側に折り返して、下端と正面とを幅方向に縫い付けて縫い付け部１４を形成し、正面から見て右端と正面とを縫い付けて縫い付け部１５を形成し、左端のみを開口させるように作製される。一方、不織布１０の上端は、折り返し線１２から正面側に折り返し、パイプ２０をその折り返し線１２より内方に置き、矢印Ａで示すように、折返部１１をパイプ２０の上に被せる。パイプ２０には、予め、その両端からそれぞれ等距離の位置に、有色のマーク２２，２２を付けておくのが好ましい。定規や巻尺のような長さを計測する手段を有していなくとも、クリップ４０，４０の取り付け位置を容易に視認でき、天井から間仕切り具１を吊り下げた際に、不織布１０が傾くことなく、簡単に、パイプ２０，３０を床あるいは天井と平行な状態に設置することができるからである。なお、有色のマーク２２，２２に代えて、凹凸のマークをパイプ２０の表面に形成し、手触りで、クリップ４０，４０の取り付け位置を把握できるようにしても良い。次に、矢印Ｂで示すように、パイプ２０のマーク２２，２２の位置に合わせて、折返部１１の上からクリップ４０，４０によってパイプ２０を挟む。次に、袋状体１３の左端の開口部からパイプ３０を挿入する。その後、糸状体５０，５０の一端側をクリップ４０，４０に固定して、糸状体５０，５０の他端側を天井に固定すれば、間仕切り具１の吊り下げが完了する。ただし、間仕切り具１の組み立て手順および設置手順は、上述の方法に限定されない。例えば、パイプ２０のクリップ４０，４０による挟持と、パイプ３０の袋状体１３への挿入は、上述と逆順でも良い。
【００２３】
図４は、不織布の構成図である。
【００２４】
不織布１０は、この実施の形態では、３層構造を有し、不織布１０ａ、不織布１０ｂおよび不織布１０ｃから構成されている。中位層である不織布１０ｂは、外側の層である不織布１０ａおよび不織布１０ｃよりも、目の細かいフィルタ層となっている。不織布１０ａ，１０ｃを通過したウィルス等が不織布１０ｂを通過しにくくするためである。また、少なくとも不織布１０ｂには、ウィルス等をトラップするための界面活性剤を付けておくのが好ましい。また、少なくとも不織布１０ｂには、滅菌用の溶剤（エタノール等）や水を付けておくこともできる。
【００２５】
図５は、本考案の実施の形態に係る間仕切り具をベッドの側方に設置した使用例を示す図である。
【００２６】
図５は、ベッド１００に患者１１０が寝ている状況において、天井から間仕切り具１をベッド１００の横の位置に吊るしている状況を示している。間仕切り具１はベッド１００の両横に吊るされるのが好ましい。図５では、紙面の奥方向に吊るされている状態を示し、紙面手前側の間仕切り具１を省略している。
【００２７】
間仕切り具１を天井１２０に吊るす方法は種々有るが、この実施の形態では、天井１２０に固定した２個のフック６０，６０に糸状体５０を固定する方法を用いている。間仕切り具１の下端は、床１３０に接触しない位置に存在する。間仕切り具１の下端と床１３０との距離は、糸状体５０，５０の長さを変更することによって容易に変更可能である。図５に示すように、不織布１０の横幅（約１ｍ）がベッド１００の長さ（通常、約１．８ｍ）に比べて半分程度と短いので、間仕切り具１をベッド１００の両横に吊るしても、医師や看護師がベッド１００の後方から患者の様子を容易に把握できる。
【００２８】
以上、本考案の好適な実施の形態について説明してきたが、本考案は、上述の実施の形態に限定されることなく、種々変形して実施することができる。
【００２９】
例えば、不織布１０は３層構造ではなく、１〜２層、あるいは４層以上から構成されていても良い。また、不織布１０の形状は、正方形または長方形に限定されず、円形、楕円形、三角形あるいは５角形以上の多角形であっても良い。不織布１０の形状が円形あるいは楕円形の場合、第一長尺体を固定する一端側および第二長尺体を固定する他端側は、共に、曲線状の端部となる。不織布１０の一端および他端の各形状は、直線、曲線のいずれの形状でも良く、形状を問わない。また、パイプ３０を重りとして用いずに、不織布１０の下端の長さ方向両側に、金属、樹脂、セラミックス、木材等からなる部材を取り付けても良い。さらに、不織布１０の上端に、パイプ２０を取り付けず、直接、クリップ４０，４０等の固定具を取り付けても良い。
【００３０】
固定具は、クリップ４０に限定されず、例えば、接着剤、面ファスナー、磁力、紐等であっても良い。また、袋状体１３を形成するための縫い付け部１４，１５は、面ファスナーで着けても良い。パイプ３０およびパイプ２０の少なくともいずれか一方に代えて、非中空状の第一長尺体および／または非中空状の第二長尺体を用いても良い。袋状体１３は必須の構成ではなく、不織布１０の上端側と同様に、不織布１０の下端を折り返してパイプ３０をその中に入れ、クリップ等でパイプ３０を不織布１０に固定しても良い。また、マーク２２，２２は、間仕切り具１にとって必須の構成ではなく、設けなくても良い。また、固定具としてのクリップ４０を１個、あるいは３個以上とし、マーク２２を、クリップ４０で留める位置の数（あるいは留めない位置の数でも良い）だけ設けても良い。また、不織布１０に、必ずしも界面活性剤、溶剤、水等を付けなくても良い。
【産業上の利用可能性】
【００３１】
本考案は、病院、あるいは人工透析クリニック等の通院専門のクリニック等において利用することができる。
【符号の説明】
【００３２】
１      間仕切り具
１０    不織布
１０ａ，１０ｂ，１０ｃ  不織布
１１    折返部
１３    袋状体
２０    パイプ（第二長尺体）
２１    穴
２２    マーク
３０    パイプ（第一長尺体、重り）
３１    穴
４０    クリップ（固定具、クリップ形状の留め具）
５０    糸状体（吊り下げ部材）
２００  天井
【図１】
0003155672.tif 000003
【図２】
0003155672.tif 000004
【図３】
0003155672.tif 000005
【図４】
0003155672.tif 000006
【図５】
0003155672.tif 000007